(57)【要約】【課題】浴槽の外形を大きくすることなく貯湯部を拡大したり、貯湯部の大きさを維持したまま洗い場を拡大できる浴室ユニットを提供すること。【解決手段】浴槽Ｂは、洗い場Ｓ側に位置する前部側壁１６Ａと、これに連なる左右一対の側壁１６Ｃ、１６Ｄが上端にフランジ部１８を有する一方、後部側壁１６Ｂが上端にフランジ部１８を有しない形状とされている。後部側壁１６Ｂをフランジ部１８の幅Ｗ分外側にシフトさせる位置に設けることで貯湯部１７が拡大でき、後部側壁１６Ｂをシフトさせることなく浴槽Ｂ全体を後方の壁パネル１２側に位置させることで洗い場Ｓが拡大される。【選択図】図１
2011125609.tif 000002
【特許請求の範囲】
【請求項１】
床パネルと、壁パネルと、天井パネルと、浴槽とを含む浴室ユニットにおいて、
前記浴槽は、上端にフランジ部を有する側壁と、上端にフランジ部を有しない側壁とを含み、上端にフランジ部を有しない側壁は、フランジ部の幅分外側にシフトした位置に設けられていることを特徴とする浴室ユニット。
【請求項２】
床パネルと、壁パネルと、天井パネルと、浴槽とを含む浴室ユニットにおいて、
前記浴槽を形成する側壁のうち、前記浴室の洗い場側に位置する側壁を除く他の側壁の少なくとも一つの側壁は、上端にフランジ部を有しない形状に設けられる一方、他の側壁は上端にフランジ部を有する形状とされていることを特徴とする浴室ユニット。
【請求項３】
床パネルと、壁パネルと、天井パネルと、浴槽とを含む浴室ユニットにおいて、
前記浴槽を形成する側壁のうち、前記浴室の洗い場側に位置する側壁を除く他の側壁の少なくとも一つの側壁は、上端にフランジ部を有しない形状に設けられる一方、他の側壁は上端にフランジ部を有する形状とされ、
前記フランジ部を有しない側壁は、フランジ部の幅分外側にシフトした位置に設けられることを特徴とする浴室ユニット。
【請求項４】
前記フランジ部を有しない側壁は鉛直面内に位置し、当該側壁の外面が前記壁パネルに面接触することを特徴とする請求項１、２又は３記載の浴室ユニット。
【発明の詳細な説明】
【技術分野】
【０００１】
本発明は浴室ユニットに係り、更に詳しくは、浴槽の平面内における外形を大きくすることなく貯湯部若しくは洗い場を広く確保することができる浴室ユニットに関する。
【背景技術】
【０００２】
一般に、浴室ユニットは、図６に示されるように、床パネル１１０と、壁パネル１２０と、図示しない天井パネルと、浴槽Ｂとを備えて構成されている。かかる浴槽Ｂは、周壁４０の上端に補強用のフランジ部４１を備えたものが通常となっているが、このような構成は、図７に示されるように、フランジ部４１の幅Ｗ分が貯湯部４３若しくは洗い場Ｓを狭めてしまうこととなる。
また、フランジ部４１の存在は、浴槽Ｂを狭く見せてしまう傾向があるとしてフランジ部を内側に傾斜させる構成が提案されている（特許文献１参照）。
しかしながら、特許文献１に記載された浴槽は、フランジ部の傾斜によって浴槽を視覚的に広く見えるようにしたものに過ぎず、貯湯部又は洗い場を広く確保するようには構成されていない。
【０００３】
ところで、特許文献２には、側壁の上端部にフランジ部を有しない浴槽が開示されている。
【先行技術文献】
【特許文献】
【０００４】
【特許文献１】特開平１１−４７０１９公報
【特許文献２】特開２００７−７２７４号公報
【発明の概要】
【発明が解決しようとする課題】
【０００５】
しかしながら、特許文献２は、浴槽に対して出入りする方向に制約を受けない浴槽を提供するものであって、貯湯部若しくは洗い場を拡大するという要請に対応する構成を開示したものではない。
【０００６】
［発明の目的］
本発明は、このような不都合に着目して案出されたものであり、その目的は、浴槽の外形を大きくすることなく貯湯部を拡大したり、貯湯部の大きさを維持したまま洗い場を拡大することができる浴室ユニットを提供することにある。
【課題を解決するための手段】
【０００７】
前記目的を達成するため、本発明は、特許請求の範囲記載の構成を採用したものである。具体的には、本発明は、床パネルと、壁パネルと、天井パネルと、浴槽とを含む浴室ユニットにおいて、
前記浴槽は、上端にフランジ部を有する側壁と、上端にフランジ部を有しない側壁とを含み、上端にフランジ部を有しない側壁は、フランジ部の幅分外側にシフトした位置に設けられる、という構成を採っている。
【０００８】
また、本発明は、床パネルと、壁パネルと、天井パネルと、浴槽とを含む浴室ユニットにおいて、
前記浴槽を形成する側壁のうち、前記浴室の洗い場側に位置する側壁を除く他の側壁の少なくとも一つの側壁は、上端にフランジ部を有しない形状に設けられる一方、他の側壁は上端にフランジ部を有する形状とされる、という構成を採ることができる。
【０００９】
更に、本発明は、床パネルと、壁パネルと、天井パネルと、浴槽とを含む浴室ユニットにおいて、
前記浴槽を形成する側壁のうち、前記浴室の洗い場側に位置する側壁を除く他の側壁の少なくとも一つの側壁は、上端にフランジ部を有しない形状に設けられる一方、他の側壁は上端にフランジ部を有する形状とされ、
前記フランジ部を有しない側壁は、フランジ部の幅分外側にシフトした位置に設けられる、という構成を採ることができる。
【００１０】
また、前記フランジ部を有しない側壁は鉛直面内に位置し、当該側壁の外面が前記壁パネルに面接触する、という構成を採ることが好ましい。
【発明の効果】
【００１１】
本発明によれば、フランジ部を有しない側壁を一部に採用することにより、フランジ部の幅に対応する分だけ側壁を外側にシフトさせることで貯湯部を大きく形成でき、また、貯湯部の大きさを変えることなく側壁間の最大幅を小さくして浴室の洗い場側を広く確保することができる。しかも、フランジ部を有しない側壁を壁パネルに接する状態で配置することで、当該側壁の強度も補強することができる。
【図面の簡単な説明】
【００１２】
【図１】本実施形態に係る浴室ユニットの概略斜視図。
【図２】図１の断面図。
【図３】変形例に係る浴室ユニットの概略斜視図。
【図４】他の変形例に係る浴槽の概略斜視図。
【図５】更に他の変形例に係る浴槽の概略斜視図。
【図６】従来例に係る浴室ユニットの概略斜視図。
【図７】図６の断面図。
【発明を実施するための形態】
【００１３】
以下、本発明の実施形態について図面を参照しながら説明する。
【００１４】
図１において、浴室ユニット１０は、床パネル１１と、壁パネル１２と、天井パネル１３と、浴槽Ｂと、図示しないカウンター等を備えて構成されている。図１中右側手前には、出入り口を形成するドア１４（図２参照）が設けられている。ここで、浴槽Ｂとドア１４との間における床パネル１１の上部空間が洗い場Ｓとされている。
【００１５】
前記浴槽Ｂは、平面視略長方形状の底壁１５と、この底壁１５の外周から起立して貯湯部１７を形成する側壁１６とからなる。側壁１６は、洗い場Ｓ側に位置する前部側壁１６Ａと、これに相対する後部側壁１６Ｂと、これら前部側壁１６Ａ及び後部側壁１６Ｂの長手方向両端部間に位置する左右一対の側壁１６Ｃ、１６Ｄとにより構成されている。ここで、前部側壁１６Ａ及び左右側壁１６Ｃ、１６Ｄは、上端が下端よりも外側に位置するように傾斜している一方、後部側壁１６Ｂは鉛直面内、つまり、壁パネル１２と平行に位置するように設けられている。
【００１６】
前部側壁１６Ａ及び左右側壁１６Ｃ、１６Ｄの各上端には、略同一平面内に位置するフランジ部１８がそれぞれ設けられ、各フランジ部１８の外側端部には下向きの折り返し部１９が連設されている。この一方、後部側壁１６Ｂは、上端にフランジ部１８を有しない形状に設けられているとともに、フランジ部１８の幅Ｗ（図２参照）に対応する分だけ外側にシフトした位置で底壁１５から起立するように設けられている。すなわち、本実施形態に係る浴槽Ｂの場合、前部側壁１６Ａと後部側壁１６Ｂとの外側最大幅Ｗ１は、図７に示される従来の浴槽Ｂの前後最大幅Ｗ２と同じとしたときに、内側最大幅Ｗ３は、従来の内側最大幅Ｗ４よりも大きい貯湯部１７を形成することとなる。
なお、前部側壁１６Ａの洗い場Ｓ側には、フランジ部１８と床パネル１１との間に図示しないエプロンが配置される。
【００１７】
前記浴槽Ｂは、後部側壁１６Ｂの外面が壁パネル１２に面接触するとともに、左右側壁１６Ｃ、１６Ｄのフランジ部１８の外側端が壁パネル１２に接するように配置され、前部側壁１６Ａの手前領域が洗い場Ｓとなる。
【００１８】
従って、このような実施形態によれば、後部側壁１６Ｂがフランジ部１８を有しない鉛直面に形成され、しかも、フランジ部１８の幅Ｗに対応する分だけ後部側壁１６Ｂの位置を後方にシフトさせているため、浴槽Ｂの外形を大きくすることなく、つまり、平面サイズを大きくすることなく貯湯部１７を拡大でき、しかも、洗い場Ｓが狭まってしまうといった不都合を生じない浴室ユニットを形成することができる。
また、後部側壁１６Ｂは、壁パネル１２に面接触する構成であるため、当該壁パネル１２によって補強されることとなり、フランジ部を設けない場合における強度的な信頼性も担保することができる。
【００１９】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２０】
例えば、前記実施形態では、後部側壁１６Ｂのみがフランジ部１８を有しない構成について図示、説明したが、図３に示されるように、後部側壁１６Ｂと、右側の側壁１６Ｄがフランジ部１８を有しない浴槽Ｂ、或いは、図示省略しているが、左側の側壁１６Ｃもフランジ部１８を有しない形状として前部側壁１６Ａのみがフランジ部１８を有する形状としてもよい。この場合には、浴槽Ｂは左右方向の内側幅も広くなり、浴槽Ｂの外形を大きくすることなく更に貯湯部１７を拡大することができる。
【００２１】
また、図４に示されるように、左右側壁１６Ｃ、１６Ｄの外縁から起立する水返し３０を設ける一方、後部側壁１６Ｂの上端を、水返し３０の上端と同一高さ位置となるように設けた浴槽Ｂを採用することもできる。
更に、図５に示されるように、後部側壁１６Ｂと左側側壁１６Ｃにフランジ部１８と水返し３０とを設ける一方、右側側壁１６Ｄを図４に示した後部側壁１６Ｂと同様に構成した浴槽Ｂを採用してもよい。
【００２２】
また、前記実施形態では、後部側壁１６Ｂがフランジ部１８の幅Ｗに対応する分だけ外側（後方）にシフトして前部側壁１６Ａとの内側最大幅Ｗ３を拡大する構成を示したが、後部側壁１６Ｂを後方にシフトさせない構成も含む。この場合、フランジ部１８の幅Ｗ分だけ浴槽Ｂ全体を後方の壁パネル１２側にずらして配置することで洗い場Ｓを拡大することができる。
要するに、本発明は、前部側壁１６Ａを除く他の側壁１６Ｂ〜１６Ｃのうち、少なくとも何れか一つがフランジ部１８を有しない形状であれば足りる。
【符号の説明】
【００２３】
１０…浴室ユニット、１１…床パネル、１２…壁パネル、１３…天井パネル、１６…側壁、１７…貯湯部、１８…フランジ部、Ｂ…浴槽、Ｓ…洗い場
【図１】
2011125609.tif 000003
【図２】
2011125609.tif 000004
【図３】
2011125609.tif 000005
【図４】
2011125609.tif 000006
【図５】
2011125609.tif 000007
【図６】
2011125609.tif 000008
【図７】
2011125609.tif 000009